(57)【要約】【課題】衛生洗浄装置への給水量とロータンクの水量を調節でき、部品点数を簡素化し組み立て作業が簡単で安価な給水装置を提供することを目的とする。【解決手段】水道側に接続した止水栓１３と、前記止水栓１３から分岐し衛生洗浄装置１０へアウトポート１５ｂを介して給水するための給水栓１５からなり、前記止水栓１３はロータンク１４に連通するポート１３ａと、弁座１９と、この弁座１９を開閉する弁体２０と、前記止水栓１３に螺合され前記弁体２０を開閉操作するとともに前記給水栓１５を貫通するスピンドル２１とを具備し、前記弁体２０を開いた時に前記弁座１９を介して流入する水の一部が前記給水栓１５のアウトポート１５ｂに給水されるように水通路２４を前記スピンドル２１に形成したことにより、部品点数の削減や給水量とロー夕ンク１４の手洗い水の水量の微少調節ができ、洗浄性能の悪化を解消することができる。【選択図】  図２
2004238824.tif 000002
【特許請求の範囲】
【請求項１】
水道側に接続した止水栓と、前記止水栓から分岐し衛生洗浄装置へアウトポートを介して給水するための給水栓からなり、前記止水栓はロータンクに連通するポートと、弁座と、この弁座を開閉する弁体と、前記止水栓に螺合され前記弁体を開閉操作するとともに前記給水栓を貫通するスピンドルとを具備し、前記弁体を開いた時に前記弁座を介して流入する水の一部が前記給水栓のアウトポートに給水されるように水通路を前記スピンドルに形成した給水装置。
【請求項２】
止水栓のねじ部に螺合するスピンドルのねじ部の一部を平面的にカットして水通路を形成した請求項１記載の給水装置。
【請求項３】
止水栓の水路と給水栓の水路とを連通する孔状の水通路をスピンドルに形成した請求項１記載の給水装置。
【請求項４】
外部から操作が可能なようにスピンドルの一端部に操作部を設け、前記操作部は端面に形成した溝と外周に形成した複数の平坦面とからなる請求項１に記載の給水装置。
【発明の詳細な説明】
【０００１】
【発明の属する技術分野】
本発明は、衛生洗浄装置などに用いるトイレ用給水装置に関するものである。
【０００２】
【従来の技術】
従来この種の衛生洗浄装置用の給水は、既存の水道配管に設けられた止水栓に給水栓を接続して行っている（例えば、特許文献１）。その一例を図７に示す。
【０００３】
図７において、水道に連通する一次ポート１ａと、ロータンク等に連通する二次ポート１ｂと、一次ポート１ａから二次ポート１ｂに流れる水路を開閉するための弁体２と、弁体２を作動させるための第一のスピンドル３と、第一のスピンドル３をねじ操作するためのスピンドルポート４と有した止水栓１に、前記第一のスピンドル３を回動可能な第二のスピンドル５およびコイルスプリング６、接続アダプ夕７等からなる第二のスピンドル回動手段と、衛生洗浄装置へ連通するアウトポート８ａとを有した給水栓８を水密接続する構成とし、第一のスピンドル３と、第二のスピンドル回動手段を分離して設けることにより、水道元栓を閉じることなく給水分岐が可能なようにしている。
【０００４】
給水栓８の操作部９を開栓方向に回すと第二のスピンドル回動手段の回転は接続アダプタ７を介して第一のスピンドル３に伝達され、前記止水栓１に螺合された第一のスピンドル３および弁体２が後退し、止水栓１が開栓し、二次ポート１ｂおよびアウトポート８ｂの各給水系統に給水が開始される。
【０００５】
【特許文献１】
特開平８−２７００４４号公報（第２図）
【０００６】
【発明が解決しようとする課題】
しかしながら、前記従来の構成では、止水栓１のネジ部から第一のスピンドル３を完全に外れるまで回転して開かないと衛生洗浄装置へ給水が不十分になるので、洗浄性能が悪化するという課題を有していた。
【０００７】
また、上記のように衛生洗浄装置へ給水するために止水栓１のネジ部から第一のスピンドル３が完全に外れるまで回転しなければならないため、すなわち弁体２を全開状態としなければならないため、水圧の高い地域の場合にはロー夕ンク側への給水が過剰となり、手洗い水の飛び散りになるので、ロータンク側給水路内に抵抗体を設ける必要があるという課題を有していた。
【０００８】
また、止水栓１の第一のスピンドル３を回転可能にするために給水栓８の構成が複雑となるので、組み立て作業性やサービス性が悪くなり高価になるという課題を有していた。
【０００９】
本発明はこのような従来の課題を解決するものであり、衛生洗浄装置への給水量とロータンクの水量を調節でき、部品点数を削減し組み立て作業が簡単で安価なトイレ用給水装置を提供することを目的とする。
【００１０】
【課題を解決するための手段】
上記課題を解決するために本発明は、水道側に接続した止水栓と、前記止水栓から分岐し衛生洗浄装置へアウトポートを介して給水するための給水栓からなり、前記止水栓はロータンクに連通するポートと、弁座と、この弁座を開閉する弁体と、前記止水栓に螺合され前記弁体を開閉操作するとともに前記給水栓を貫通するスピンドルとを具備し、前記弁体を開いた時に前記弁座を介して流入する水の一部が前記給水栓のアウトポートに給水されるように水通路を前記スピンドルに形成した構成とするものである。
【００１１】
これによって、部品点数の削減や給水量とロー夕ンクの手洗い水の水量の微少調節ができ、洗浄性能の悪化を解消することができる。
【００１２】
【発明の実施の形態】
上記の目的を達成するために本発明は、水道側に接続した止水栓と、前記止水栓から分岐し衛生洗浄装置へアウトポートを介して給水するための給水栓からなり、前記止水栓はロータンクに連通するポートと、弁座と、この弁座を開閉する弁体と、前記止水栓に螺合され前記弁体を開閉操作するとともに前記給水栓を貫通するスピンドルとを具備し、前記弁体を開いた時に前記弁座を介して流入する水の一部が前記給水栓のアウトポートに給水されるように水通路を前記スピンドルに形成した構成である。
【００１３】
この構成により、止水栓にスピンドル、給水栓を接続するだけで衛生洗浄装置へ給水が可能となる。また衛生洗浄装置への給水量とロ一夕ンクの手洗い水の水量を調節することができる。
【００１４】
また本発明は、止水栓のねじ部に螺合するスピンドルのねじ部の一部を平面的にカットして水通路を形成したものである。この構成により、水通路は確保されているため、少ない軸方向の移動で衛生洗浄装置への給水量とロー夕ンクの手洗い水の水量を微少調節することができる。また前記スピンドルを設けるだけで衛生洗浄装置への水通路が形成されるため給水栓の構成部品を削減でき、安価な給水栓または給水装置を提供することができる。
【００１５】
また本発明は、止水栓の水路と給水栓の水路とを連通する孔状の水通路をスピンドルに形成したものである。この構成により、水通路は確保され、孔状の大きさや軸方向の移動で衛生洗浄装置への給水量を微少調節することができる。また前記スピンドルを設けるだけで衛生洗浄装置への水通路が形成されるため給水栓の構成部品を削減でき、安価な給水栓または給水装置を提供することができる。
【００１６】
また本発明は、外部から操作が可能なようにスピンドルの一端部に操作部を設け、前記操作部は端面に形成した溝と外周に形成した複数の平坦面とからなるものである。この構成により、ドライバー、ペンチ等の工具だけでなく手動でも水量調整操作が可能となる。また、設置工事や故障時等の作業性を向上することができる。
【００１７】
【実施例】
以下本発明の実施例を図面を参照しながら説明する。
【００１８】
（実施例１）
図１において、衛生洗浄装置１０は洗浄装置本体１１と、前記洗浄装置本体１１に回転自在に設けた便座１２等から構成されている。前記洗浄装置本体１１には、人体の肛門、局部等を洗浄するための洗浄装置等を内蔵している。
【００１９】
給水経路について簡単に説明すると、１３は一次側が水道管に接続され、二次側がロー夕ンク１４に連通している止水栓であり、１５は前記止水栓１３から分岐し洗浄装置本体１１へ給水するための給水栓である。前記給水栓１５には洗浄装置本体１１へ連なる連結管１６を接続し、洗浄装置本体１１へと給水するようになっている。
【００２０】
図２（Ａ）、（Ｂ）、（Ｃ）、（Ｄ）において、水道側に接続した前記止水栓１３はロ一夕ンクに連なるポート１３ａと、弁座１９と、前記弁座１９を開閉する弁体２０と、前記止水栓１３に螺合され前記弁体２０を開閉操作するスピンドル２１と、スピンドルポート２２を有している。また、図２（Ａ）に示すように前記弁体２０を挿入するために前記スピンドル２１には穴２１ａが設けられている。
【００２１】
また、前記給水栓１５は前記スピンドルポート２２に接続する接続ポート１５ａと、洗浄装置本体１１へ連通するアウトポート１５ｂと、前記止水栓１３のスピンドル２１を回転動作可能に支持する軸受け部２３を有している。
【００２２】
また、前記スピンドル２１を動かして弁体２０を開いた時、弁座１９を介して流入する水の一部が前記給水栓１５のアウトポート１５ｂに給水されるように水通路２４を前記スピンドル２１に形成した。前記水通路２４は、図２（Ｃ）、（Ｄ）に示すように止水栓１３のねじ部２７に螺合する前記スピンドル２１のねじ部２８の一部を平面的にカットすることによって形成されたものである。
【００２３】
次に、図２、図３を参照して接続方法について説明する。はじめに水道の元栓を閉め、既存の止水栓１３の弁体２０、スピンドル３０、スピンドルキャップ３１、スピンドルパッキン３２、パッキン保持用平座金３３を取り外す（図３）。
【００２４】
既設のスピンドル３０とスピンドル２１を交換し、弁体２０をスピンドル２１に設けられた穴２１ａ内に摺動自在に遊嵌する。よって前記止水栓１３に螺合されたスピンドル２１を回転させて弁座１９側に螺進させると、スピンドル２１が弁体２０を弁座１９に押付ける。これにより、止水される。
【００２５】
次に、スピンドル２１の軸受け部２３を有する給水栓１５の接続ポート１５ａを止水栓１３のスピンドルポート２２に当接し、接続ポート１５ａを回してパッキン２５を介して水密接続する。
【００２６】
なおスピンドル２１は、弁体２０を弛める方向に軸移動し止水栓１３から外れても、給水栓１５によって支持される構成になっている。
【００２７】
次に水道の元栓を開き、前記スピンドル２１の操作部２６を開栓方向に回すとスピンドルの穴２１ａに回転トルクが伝達され、止水栓１３が開栓し前記止水栓１３のポート１３ａおよび前記給水栓１５のアウトポート１５ｂから各給水系統に給水が開始される。
【００２８】
以上の構成において、スピンドル２１を単一化したことにより給水栓１５の構成部品を削減し、組み立て作業性やサービス性を向上させることとなり、安価な給水栓１５または給水装置を市場へ供給することができる。また、スピンドル３０をスピンドル２１に代えることにより取り外した既存の弁体２０や止水栓１３をそ」のまま利用できるため、資材の再利用になりコストアップを抑えることができる。
【００２９】
またスピンドル２１に水通路２４を有することにより、少ない軸方向の移動でも水通路２４は確保でき、衛生洗浄装置１０への給水量とロ一夕ンク１４の手洗い水の水量を微少調節することができる。
【００３０】
また取付ける際に、弁体２０や止水栓１３の構成を利用する既存の取付け作業と変化がないために作業時間が短縮する。
【００３１】
なお図２（Ｃ）、（Ｄ）においてはスピンドル２１のねじ部２８に二面の平坦面を設け水通路２４を形成したが、一面の平坦面を設けるだけでもよく、また多角面の平坦面を設けてもよい。
【００３２】
（実施例２）
図４において特徴とする構成は、止水栓１３の水路４１と給水栓１５の水路４２とを連通する孔状の水通路４３をスピンドル２１に形成したものである。
【００３３】
以上の構成において、スピンドル２１を動かして弁体２０を開いた時、弁座１９を介して流入する水の一部がスムーズにスピンドル２１に形成した孔状の水通路４３を流動することができる。このことにより衛生洗浄装置に水が供給されることになる。
【００３４】
また水通路４３は、孔状の大きさや軸方向の移動で衛生洗浄装置への給水量を微少調節することができる効果をもつ。また、トイレ用給水装置に前記スピンドル２１を設けるだけで水通路４３が形成され衛生洗浄装置へ水を供給することができるため給水栓１５の構成部品を削減でき、安価な給水栓１５または給水装置を提供することができる。
【００３５】
（実施例３）
図５（Ａ）、（Ｂ）、図６において特徴とする構成は、外部から操作が可能なようにスピンドル２１の一端に操作部２６を設け、前記操作部２６は端面に形成した溝５１と外周に形成した複数の平坦面５２とからなるものである。
【００３６】
以上の構成において、ドライバー、ペンチ等の工具や手動で操作部を扱うことができ、この動作によりスピンドル２１に回転運動が加わり弁体２０の開閉状態に影響する。よって操作部２６をもって、ロータンクや衛生洗浄装置に供給される水量を微少調節でき工事後に家庭でも簡単に水量調節が可能となり、その調節時間や工事時の設置時間を短縮するという効果がある。
【００３７】
なお、操作部２６を溝５１と平坦面５２とで構成した理由は以下の通りである。すなわち、溝５１にドライバー或いはコインをはめ、スピンドル２１を操作するようにしているが、弁体２０が閉状態ではその操作が可能である。しかし弁体２０を開くと水圧が前記弁体２０などに印加されて操作負荷が大きくなり上記の操作が困難になる。その場合は操作部２６に形成された平坦面５２が用いられる。前記平坦面５２にペンチなどの工具で挟持して回動することによってスピンドル２１が操作できるようになる。
【００３８】
なお本実施例３においては操作部２６に二面の平坦面５２を設けたが、三面、四面のような多角面の平坦面を有してもよい。
【００３９】
また、平坦面５２は図５（Ａ）に示すように溝５１に対して平行に設けたものであるが、図５（Ｂ）のように設けてもよく、すなわち溝５１に対してどのような角度で平坦面が設けられてもよい。また平坦面５２を利用し操作部２６につまみを設けても良い。
【００４０】
【発明の効果】
以上のように本発明によれば、止水栓にスピンドル、給水栓を接続するだけで衛生洗浄装置へ給水が可能となる。また衛生洗浄装置への給水量とロ一夕ンクの手洗い水の水量を調節することができる。また、その調節時間や工事時の設置時間を短縮するという効果がある。
【００４１】
また、スピンドルを代えることにより取り外した既存の弁体や止水栓を利用できるため、給水栓や給水装置のコストパフォーマンスや環境に貢献する。
【図面の簡単な説明】
【図１】本発明の実施例１におけるトイレ用給水装置の外観斜視図
【図２】（Ａ）本発明の実施例１におけるトイレ用給水装置の取付け過程を示す構造断面図
（Ｂ）本発明の実施例１におけるトイレ用給水装置の取付け完了状態を示す構造断面図
（Ｃ）本発明の実施例１における水通路を示す構造断面図
（Ｄ）本発明の実施例１におけるスピンドルのねじ部の外観斜視図
【図３】本発明の実施例１における既設の止水栓の一例を示す構造断面図
【図４】本発明の実施例２における止水栓の水路と給水栓の水路とを連通する孔状の水通路の一例を示す構造断面図
【図５】（Ａ）本発明の実施例３におけるスピンドルの操作部の一例の正面図
（Ｂ）本発明の実施例３におけるスピンドルの操作部の一例の正面図
【図６】本発明の実施例３におけるスピンドルの外観斜視図
【図７】従来の給水栓の一例を示す構造断面図
【符号の説明】
１０  衛生洗浄装置
１１  洗浄装置本体
１２  便座
１３  止水栓
１３ａ    ポート
１４  ロータンク
１５  給水栓
１５ａ    接続ポート
１５ｂ    アウトポート
１６  連結管
１９  弁座
２０  弁体
２１  スピンドル
２１ａ    穴
２２  スピンドルポート
２３  軸受け部
２４  水通路
２６  操作部
２７  止水栓のねじ部
２８  スピンドルのねじ部
３０  既存のスピンドル
３１  スピンドルキャップ
３２  スピンドルパッキン
３３  パッキン保持用平座金
４１  止水栓の水路
４２  給水栓の水路
４３  孔状の水通路
５１  操作部の溝
５２  操作部の平坦面
【図１】
2004238824.tif 000003
【図２】
2004238824.tif 000004
【図３】
2004238824.tif 000005
【図４】
2004238824.tif 000006
【図５】
2004238824.tif 000007
【図６】
2004238824.tif 000008
【図７】
2004238824.tif 000009